(57)【特許請求の範囲】
【請求項１】
用紙搬送ローラ対が用紙搬送路に沿って複数設置され、前記用紙搬送ローラ対の間で用紙を用紙搬送方向に挟持搬送する用紙搬送手段と、
前記用紙搬送路に沿って互いに対向して設置され、前記用紙搬送手段によって搬送される前記用紙をガイドする一対の用紙搬送ガイド板とを備えた用紙搬送装置において、
前記一対の用紙搬送ガイド板のうち一方の用紙搬送ガイド板は、第１分割用紙ガイド板と、第２分割用紙ガイド板とに分割可能に構成されており、前記第１分割用紙ガイド板が用紙搬送方向と直交する用紙幅方向に向かって引き出し自在に設けられ、
前記第２分割用紙ガイド板は、前記第１分割用紙ガイド板を引き出した状態のときに、当該第２分割用紙ガイド板を引き出さない状態で前記第１分割用紙ガイド板の引き出し方向とは反対側の後端で前記用紙搬送方向と平行に設けられた回動軸を中心にして他方の用紙搬送ガイド板から離れる方向に回動可能に設けられていることを特徴とする用紙搬送装置。
【請求項２】
前記第２分割用紙ガイド板が前記他方の用紙搬送用紙ガイド板から離れる方向に回動した状態のまま前記第１分割用紙ガイド板を押し込んだ場合に、前記第１分割用紙ガイド板の押し込み動作を禁止させるような押し込み禁止部を、前記第１分割用紙ガイド板又は前記第２分割用紙ガイド板の少なくともいずれか一方に設け、
前記押し込み禁止部は、前記第２分割用紙ガイド板が前記他方の用紙搬送ガイド板から離れる方向に回動していない状態のときに前記第１分割用紙ガイド板を押し込んだ場合、前記第１分割用紙ガイド板及び前記第２分割用紙ガイド板の少なくとも一部が重力方向においてオーバーラップしていることを特徴とする請求項１記載の用紙搬送装置。
【発明の詳細な説明】
【技術分野】
【０００１】
本発明は、画像形成装置内で用紙を用紙搬送路に沿って搬送するときに、用紙搬送路に沿って設置した隣り合う用紙搬送装置間に跨って用紙ジャムが生じた場合、ジャム用紙を装置内に残さずにこの装置の外側に容易に取り出すことができる用紙搬送装置に関する。
【背景技術】
【０００２】
一般的に、用紙を搬送する用紙搬送装置は、用紙に画像や文字を印刷する印刷装置や、用紙に画像や文字を複写する複写機などの画像形成装置に適用されている。
【０００３】
この種の用紙搬送装置を適用した画像形成装置の一例として、用紙ジャムが発生したときに、本体と引き出しユニットとの間にジャム用紙が跨った形で存在する場合、このジャム用紙が破損するのを自動的に防止できるものがある（例えば、特許文献１参照）。
【０００４】
上記した特許文献１に開示された画像形成装置では、ここでの図示を省略するものの、装置内の各所に、引き出しユニットとして、用紙搬送に係るユニット（例えば、用紙搬送ユニットや両面印刷ユニット）を本体より前方に略水平方向に引き出し可能に備えている。
【０００５】
例えば、上記した用紙搬送ユニットでは、ベース部が本体内部のレールに係合して用紙搬送方向と直交する前方方向に引き出し自在に取り付けられていると共に、ベース部上に用紙ガイド部材が用紙搬送方向と直交する用紙幅方向に延びる支軸を中心にして開閉自在に取り付けられている。
【０００６】
そして、ベース部と用紙ガイド部材との間に用紙を搬送する用紙搬送路が形成されており、この用紙搬送路に沿って上下に用紙搬送ローラ対が設けられている。
【０００７】
ここで、用紙ジャムが発生したときに、制御手段は、本体内の搬送途中の用紙を全て停止させると共に、上記のように構成した引き出しユニットと本体との間に跨る形で用紙が停止した場合、この用紙を引き出しユニットあるいは本体に収まるように移動させている。
【０００８】
そして、例えば、用紙搬送ユニットを本体より引き出した後、用紙ガイド部材をベース部に対して上方に開放することにより、用紙搬送路を露出させることが可能となるので、ジャム用紙を取り出すことができる旨が記載されている。
【先行技術文献】
【特許文献】
【０００９】
【特許文献１】特開２００９−３１４２２号公報
【発明の概要】
【発明が解決しようとする課題】
【００１０】
ところで、特許文献１に記載の画像形成装置では、前述したように、用紙ジャムが発生したときに、引き出しユニットと本体との間で跨る形で用紙が停止した場合、制御手段は、この用紙を引き出しユニットあるいは本体に収まるように移動させていると記載されているが、引き出しユニットと本体との間に跨っているジャム用紙を引き出しユニットあるいは本体に収まるように移動させれば、用紙のジャム状態がより一層ひどくなる危険性がある。
【００１１】
また、引き出しユニットを引き出してジャム用紙を取り出すときに、用紙ガイド部材を用紙搬送方向と直交する用紙幅方向に延びる支軸を中心にして開かせるには、引き出しユニットを全部引き出さなければならないので、ユニットが重くジャム用紙を取り出しにくいことがある。
【００１２】
更に、ジャム用紙を取り出すために引き出しユニットを装置の前方に向かって略水平に引き出したときに、引き出しユニットの引き出し時の占有面積はこの引き出しユニットの外形サイズ分となるために、上記した占有面積が大きくなってしまうので問題である。
【００１３】
そこで、本発明では、画像形成装置内で用紙を用紙搬送路に沿って搬送するときに、用紙搬送路に沿って設置した隣り合う用紙搬送装置間に跨って用紙ジャムが生じた場合、ジャム用紙の紙片を装置内に残すことなく、このジャム用紙を装置の外側に容易に取り出すことができ、且つ、ジャム用紙の取り出し時に用紙搬送装置内に設けた部材を装置外に突出させた場合の占有面積を小さく設定して、ジャム用紙を容易に取り出すことができる用紙搬送装置を提供することを目的とする。
【課題を解決するための手段】
【００１４】
本発明は上記課題に鑑みてなされたものであり、第１の発明は、用紙搬送ローラ対が用紙搬送路に沿って複数設置され、前記用紙搬送ローラ対の間で用紙を用紙搬送方向に挟持搬送する用紙搬送手段と、
前記用紙搬送路に沿って互いに対向して設置され、前記用紙搬送手段によって搬送される前記用紙をガイドする一対の用紙搬送ガイド板とを備えた用紙搬送装置において、
前記一対の用紙搬送ガイド板のうち一方の用紙搬送ガイド板は、第１分割用紙ガイド板と、第２分割用紙ガイド板とに分割可能に構成されており、前記第１分割用紙ガイド板が用紙搬送方向と直交する用紙幅方向に向かって引き出し自在に設けられ、
前記第２分割用紙ガイド板は、前記第１分割用紙ガイド板を引き出した状態のときに、前記第１分割用紙ガイド板の引き出し方向とは反対側の後端で前記用紙搬送方向と平行に設けられた回動軸を中心にして他方の用紙搬送ガイド板から離れる方向に回動可能に設けられていることを特徴とする用紙搬送装置である。
【００１５】
また、第２の発明は、上記した第１の発明の用紙搬送装置において、
前記第２分割用紙ガイド板が前記他方の用紙搬送用紙ガイド板から離れる方向に回動した状態のまま前記第１分割用紙ガイド板を押し込んだ場合に、前記第１分割用紙ガイド板の押し込み動作を禁止させるような押し込み禁止部を、前記第１分割用紙ガイド板又は前記第２分割用紙ガイド板の少なくともいずれか一方に設け、
前記押し込み禁止部は、前記第２分割用紙ガイド板が前記他方の用紙搬送ガイド板から離れる方向に回動していない状態のときに前記第１分割用紙ガイド板を押し込んだ場合、前記第１分割用紙ガイド板及び前記第２分割用紙ガイド板の少なくとも一部が重力方向においてオーバーラップしていることを特徴とする用紙搬送装置である。
【発明の効果】
【００１６】
第１発明の用紙搬送装置によれば、一対の用紙搬送ガイド板で用紙をガイドしながら用紙搬送方向に搬送する際、一方の用紙搬送ガイド板は、第１分割用紙ガイド板と、第２分割用紙ガイド板とに分割可能に構成されており、第１分割用紙ガイド板は、用紙搬送方向と直交する方向に引き出し自在に設けられ、一方、第２分割用紙ガイド板は、第１分割用紙ガイド板を引き出した状態のときに、第１分割用紙ガイド板の引き出し方向とは反対側の後端で用紙搬送方向と平行に設けられた回動軸を中心にして他方の用紙搬送ガイド板から離れる方向に回動可能に設けられている。
【００１７】
この結果、第１分割用紙ガイド板を装置内から引き出し、第２分割用紙ガイド板を他方の用紙搬送ガイド板から離れる方向に回動させて開くことで、第２分割用紙ガイド板側に残っているジャム用紙を第１分割用紙ガイド板の引き出し時の占有面積を小さくして簡易に取り出すことができる。
【００１８】
また、第２の発明の用紙搬送装置によれば、第２分割用紙ガイド板が他方の用紙搬送ガイド板から離れる方向に回動した状態のまま第１分割用紙ガイド板を引き出し方向とは反対側に押し込む動作をした場合に、第１分割用紙ガイド板の押し込み動作を禁止させるような押し込み禁止部を第１分割用紙ガイド板又は第２分割用紙ガイド板の少なくともいずれか一方に設け、押し込み禁止部は、第２分割用紙ガイド板が他方の用紙搬送ガイド板から離れる方向に回動していない状態のときに押し込み動作をされた場合、第１分割用紙ガイド板及び第２分割用紙ガイド板の少なくとも一部が重力方向においてオーバーラップしている。
【００１９】
この結果、第２分割用紙ガイド板が他方の用紙搬送ガイド板から離れる方向に回動した場合、ユーザの不注意又は故意により、ユーザが第１分割用紙ガイド板を引き出し方向とは反対方向に押し込むと、第１分割用紙ガイド板又は第２分割用紙ガイド板に形成した押し込み禁止部の作用により第１，第２分割用紙ガイド板同士が重なり合った状態で衝突するので、第１分割用紙ガイド板の押し込み動作を禁止することができると共に、第２分割用紙ガイド板を装置内に収納できなくする。
【００２０】
従って、第２分割用紙ガイド板が開いたままの状態で第１分割用紙ガイド板が装置内の正規の位置に押し込まれたときに、第２分割用紙ガイド板が第１分割用紙ガイド板上に重なり合って搭載される異常な状態が発生せず、装置への安全性及び信頼性を高めることができる。
【図面の簡単な説明】
【００２１】
【図１】本発明に係る用紙搬送装置を適用したインクジェット印刷装置の全体構成を示した構成図である。
【図２】本発明の実施例１に係る用紙搬送装置を示した斜視図である。
【図３】本発明の実施例１に係る用紙搬送装置において、図２に示した駆動側用紙搬送ガイド板を示した斜視図である。
【図４】本発明の実施例１に係る用紙搬送装置において、図２に示した従動側用紙搬送ガイド板を示した斜視図である。
【図５】本発明の実施例１に係る用紙搬送装置において、図２，図４に示した従動側用紙搬送ガイド板の第１分割用紙ガイド板を示した斜視図である。
【図６】本発明の実施例１に係る用紙搬送装置において、図２，図４に示した従動側用紙搬送ガイド板の第２分割用紙ガイド板を示した斜視図である。
【図７】本発明の実施例１に係る用紙搬送装置において、第１分割用紙ガイド板の下流側の翼部の上方部位に連接させた押し込み禁止部と、第２分割用紙ガイド板の下流側の外側面側とがオーバーラップした状態を模式的に示した平面図である。
【図８】本発明の実施例１に係る用紙搬送装置において、従動側用紙搬送ガイド板の第１分割用紙ガイド板を装置内からフロント側に引き出す動作を説明するための図である。
【図９】本発明の実施例１に係る用紙搬送装置において、用紙搬送ローラ対の駆動ローラと従動ローラのニップ状態を図２に示したイーイ線に沿って断面して示した縦断面図である。
【図１０】本発明の実施例１に係る用紙搬送装置内からジャム用紙を取り出す状態を示した斜視図である。
【図１１】（ａ），（ｂ）は本発明の実施例１に係る用紙搬送装置において、第１分割用紙ガイド板がフロント側に引き出され、且つ、第２分割用紙ガイド板が駆動側用紙搬送ガイド板から離れる上方向に回動して開いているときに、第１分割用紙ガイド板の装置内への押し込みを禁止する動作を模式的に示した斜視図，下流側から見た側面図である。
【図１２】本発明の実施例２に係る用紙搬送装置を示した斜視図である。
【図１３】本発明の実施例２に係る用紙搬送装置において、図１２に示した従動側用紙搬送ガイド板を示した斜視図である。
【図１４】本発明の実施例２に係る用紙搬送装置において、図１２，図１３に示した従動側用紙搬送ガイド板の第１分割用紙ガイド板を示した斜視図である。
【図１５】本発明の実施例２に係る用紙搬送装置において、図１２，図１３に示した従動側用紙搬送ガイド板の第２分割用紙ガイド板を示した斜視図である。
【図１６】本発明の実施例２に係る用紙搬送装置において、第１分割用紙ガイド板の下流側の外側面に連接させた翼部と、第２分割用紙ガイド板の下流側の外側面兼用押し込み禁止部とがオーバーラップした状態を模式的に示した平面図である。
【図１７】（ａ），（ｂ）は本発明の実施例２に係る用紙搬送装置において、第１分割用紙ガイド板がフロント側に引き出され、且つ、第２分割用紙ガイド板が駆動側用紙搬送ガイド板から離れる上方向に回動して開いているときに、第１分割用紙ガイド板の装置内への押し込みを禁止する動作を模式的に示した斜視図，下流側から見た側面図である。
【発明を実施するための形態】
【００２２】
以下に本発明に係る用紙搬送装置を実施する形態につき、図１〜図１７を参照して実施例１，実施例２の順に詳細に説明する。
【００２３】
本発明に係る用紙搬送装置は、用紙に画像や文字を印刷する印刷装置や、用紙に画像や文字を複写する複写機などの画像形成装置に適用されており、この画像形成装置内で用紙を搬送する用紙搬送路に沿ってユニット化して設置されている。
【００２４】
上記した用紙搬送装置は、画像形成装置内で用紙を用紙搬送路に沿って搬送するときに、用紙搬送路に沿って設置した隣り合う用紙搬送装置間に跨って用紙ジャムが生じた場合、ジャム用紙の紙片を装置内に残すことなく、このジャム用紙を装置の外側に容易に取り出すことができるように構成されている。
【００２５】
ここで、本発明の実施例１，２に係る用紙搬送装置を説明する前に、この実施例１，２の用紙搬送装置を適用した画像形成装置の一例としてインクジェット印刷装置について、図１を用いて説明する。
【００２６】
（インクジェット印刷装置）
図１は実施例１の用紙搬送装置７０又は実施例２の用紙搬送装置７０’を適用したインクジェット印刷装置１を示している。
【００２７】
図１に示す如く、インクジェット印刷装置１は、用紙Ｐ上にインクジェット方式により片面印刷又は両面印刷可能になっており、この装置全体を操作する操作パネル部１０と、用紙Ｐを１枚ずつ給紙する給紙部２０と、給紙部２０よりも用紙搬送方向の下流側に回転可能に設置されたベルトプラテン部３０と、ベルトプラテン部３０と対向して複数色のインクＩＫを吐出する複数のライン型インクジェットヘッド４１が設置された印刷部４０と、印刷部４０で印刷された印刷済みの用紙Ｐを排紙する排紙部５０と、装置全体を制御する制御部６０とで構成されている。
【００２８】
また、インクジェット印刷装置１内で用紙Ｐを一定の速度で搬送する用紙搬送路は、給紙部２０からベルトプラテン部３０及び印刷部４０に向かう給紙用搬送路ＫＲと、給紙用搬送路ＫＲと接続されてベルトプラテン部３０及び印刷部４０を経由して用紙Ｐへの両面印刷を可能に循環する循環用搬送路ＪＲと、循環用搬送路ＪＲの途中から分岐して排紙部５０に向かう排紙用搬送路ＨＲとからなっている。
【００２９】
この際、上記した循環用搬送路ＪＲは、ベルトプラテン部３０及び印刷部４０に沿った印刷用搬送路ＪＲ１と、片面印刷済みの用紙Ｐをベルトプラテン部３０側の下方に向かって搬送させる第１縦搬送路ＪＲ２と、片面印刷済みの用紙Ｐをベルトプラテン部３０の下方から用紙搬送方向の上流側に向かって略水平に搬送させる水平搬送路ＪＲ３と、片面印刷済みの用紙Ｐをスイッチバックしてこの用紙Ｐの先頭を先端部から後端部に変更するように搬送するスイッチバック搬送路ＪＲ４と、スイッチバックした片面印刷済みの用紙Ｐの表裏を反転させて上方に向けながら再びベルトプラテン部３０及び印刷部４０に搬送する第２縦搬送路ＪＲ５とがこの順に連接されている。
【００３０】
そして、実施例１の用紙搬送装置７０又は実施例２の用紙搬送装置７０’が、例えば、循環用搬送路ＪＲ中の水平搬送路ＪＲ３に沿ってユニット化して設置されているが、各用紙搬送装置７０，７０’については後で詳述する。
【００３１】
また、用紙搬送路には、用紙Ｐを一定の速度で搬送する用紙搬送ローラ対Ｒが、用紙サイズが異なる複数種の用紙Ｐのうちで最小サイズの用紙を搬送できるように間隔を隔てて複数設置されている。この際、各用紙搬送ローラ対Ｒは、駆動源となるギアードモータＭと連結されて回転する駆動ローラＲ１と、この駆動ローラＲ１に圧接して従動する従動ローラＲ２とで対をなしている。
【００３２】
また、用紙搬送路には、用紙Ｐの通過を検出する複数の用紙センサＳが適宜な位置に設置されており、複数の用紙センサＳは光反射型センサ又は光透過センサを用いて一定の速度で搬送される用紙Ｐがそれぞれのセンサ位置で予め設定した時間に到達しない場合に用紙ジャムが生じたことを制御部６０を介して検出できるようになっている。
【００３３】
更に、排紙用搬送路ＨＲと循環用搬送路ＪＲ中の第１縦搬送路ＪＲ２と間、及び、循環用搬送路ＪＲ中のスイッチバック搬送路ＪＲ４と第２縦搬送路ＪＲ５との間には、用紙Ｐの搬送方向を切り替えるためのフリッパＦがそれぞれ回動自在に設置されている。
【００３４】
ここで、インクジェット印刷装置１の各部について順を追って具体的に説明すると、このインクジェット印刷装置１の外観を形成する筐体２は箱状に形成されている。
【００３５】
まず、上記した操作パネル部１０は、筐体２の上面２ａに設置されており、ここでの詳細な図示を省略するが、片面／両面印刷選択キー、スタートキー、ストップキー、テンキー、印刷枚数設定キー、アラーム表示部、液晶パネルなどが設けられている。
【００３６】
次に、上記した給紙部２０は、給紙台２１が第１ギアードモータ２２により筐体２の左側板２ｂの外側に沿って上下動可能に設置されている。
【００３７】
また、給紙台２１上には、最小サイズ（例えば、葉書サイズ）から最大サイズ（例えば、Ａ３サイズ）までの複数種の用紙Ｐのうちで１種類の用紙Ｐが積載されており、１種類の用紙Ｐの用紙サイズは給紙台２１内で不図示の用紙サイズ検出手段により自動的に検出されている。
【００３８】
そして、給紙台２１が上動して、給紙台２１上に積載した未印刷の用紙Ｐのうちで最上層の用紙Ｐが給紙位置に至ったときに、この最上層の用紙Ｐに給紙ローラ２３が回転しながら圧接してこの用紙Ｐを給紙している。
【００３９】
この後、給紙された用紙Ｐは、給紙ローラ２３よりも下流に設けた捌きローラ２４と、捌き板２５との間で挟持搬送される際に１枚ずつに分離される。
【００４０】
この際、給紙ローラ２３及び捌きローラ２４は、同一の駆動源となる第２ギアードモータ２６によりそれぞれ時計方向に回転駆動されている。
【００４１】
更に、給紙された用紙Ｐの搬送方向の先端部は、回転停止中のレジストローラ対２７に突き当たって点線で示したループＬが形成されて、このループＬにより用紙Ｐの先端位置がレジストローラ対２７に対して揃うようになる。
【００４２】
その後、レジストローラ対２７が回転を開始することにより、このレジストローラ対２７で用紙Ｐの斜行が補正され且つ用紙Ｐの搬送タイミングが調整されながらこの用紙Ｐがベルトプラテン部３０及び印刷部４０に向けて搬送されるようになっている。
【００４３】
そして、上記した給紙ローラ２３と、捌きローラ２４と、捌き板２５とが給紙台２１上に積層された用紙Ｐを１枚ずつ給紙する１次給紙手段となり、一方、上記したレジストローラ対２７が１次給紙手段で給紙した用紙Ｐに対して斜行を補正し且つ搬送タイミングを調整してこの用紙Ｐを下流に向けて搬送する２次給紙手段となっている。
【００４４】
次に、上記したベルトプラテン部３０は、複数のエアー吸引孔（図示せず）を有して帯状に形成されたベルトプラテン３１が第３ギアードモータ３２により一定の搬送速度で回転駆動される駆動プーリ３３と従動プーリ３４との間に中間プーリ３５を介してエンドレスに掛け渡されており、ベルトプラテン３１上に搬送された用紙Ｐをエアー吸引部３６で吸引搭載しながら矢印方向に搬送している。
【００４５】
次に、上記した印刷部４０は、ベルトプラテン部３０の上方でこのベルトプラテン部３０と僅かに間隔を離して対向して設けられており、筐体２内の略中央部位に位置している。
【００４６】
この印刷部４０では、複数色のインクＩＫと対応して複数のライン型インクジェットヘッド４１が用紙Ｐの搬送方向の上流側から下流側に向かってＣ（シアン）用，Ｋ（ブラック）用，Ｍ（マゼンタ）用，Ｙ（イエロー）用の順に固定設置されている。
【００４７】
そして、用紙Ｐをエアー吸引によりベルトプラテン３１上に固定した状態でベルトプラテン３１の回転より用紙Ｐを矢印方向に搬送しながら複数のライン型インクジェットヘッド４１により用紙Ｐ上にカラー画像を印刷している。
【００４８】
この際、用紙Ｐ上にカラー画像を片面印刷する場合には、用紙Ｐに対して循環用搬送路ＪＲ中の印刷用搬送路ＪＲ１を１回だけ通して下記する排紙部５０に排紙している。一方、用紙Ｐ上にカラー画像を両面印刷する場合には、片面印刷済みの用紙Ｐに対して循環用搬送路ＪＲを介して表裏を反転して印刷用搬送路ＪＲ１を２回通して下記する排紙部５０に排紙している。
【００４９】
次に、上記した排紙部５０は、ベルトプラテン部３０及び印刷部４０よりも下流で筐体２の右側板２ｃ側に設けられている。この排紙部５０では片面印刷済み又は両面印刷済みの用紙Ｐを排紙ローラ対５１を介して排紙台５２上に排紙している。
【００５０】
次に、装置全体を制御する制御部６０は、筐体２内の適宜な位置に設置されている。この制御部６０は、演算処理や判断処理するＣＰＵ６０ａと、インクジェット印刷装置１の動作プログラムなどを格納したＲＯＭ６０ｂと、インクジェット印刷装置１内で変更可能な各種の情報などを一時的に記憶するＲＡＭ６０ｃと、用紙Ｐが各用紙センサＳを通過する時間を計測するタイマ６０ｄとを内部に有している。
【実施例１】
【００５１】
ここで、本発明の実施例１に係る用紙搬送装置の構成について、先に示した図１と、新たな図２〜図７とを用いて説明する。
【００５２】
図２は本発明の実施例１に係る用紙搬送装置７０を斜視的に示している。また、図３は図２に示した駆動側用紙搬送ガイド板７１を斜視的に示している。また、図４は図２に示した従動側用紙搬送ガイド板８１（８２，８３）を斜視的に示している。また、図５は従動側用紙搬送ガイド板８１の第１分割用紙ガイド板８２を斜視的に示している。また、図６は従動側用紙搬送ガイド板８１の第２分割用紙ガイド板８３を斜視的に示している。更に、図７は第１分割用紙ガイド板８２の下流側の翼部８２ｅ２の上方部位に連接させた押し込み禁止部８２ｅ３と、第２分割用紙ガイド板８３の下流側の外側面８３ｄとがオーバーラップした状態を模式的に平面図で示している。
【００５３】
図１に示す如く、本発明の実施例１に係る用紙搬送装置７０は、インクジェット印刷装置１内の用紙搬送路に沿って設置されており、例えば、用紙搬送路の一部を形成する循環用搬送路ＪＲ中の水平搬送路ＪＲ３に沿ってユニット化して設置されている。
【００５４】
また、循環用搬送路ＪＲ中の水平搬送路ＪＲ３には、前述したように、駆動源となるギアードモータＭに連結されて回転駆動する駆動ローラＲ１と、この駆動ローラＲ１に圧接して従動する従動ローラＲ２とを対にした用紙搬送ローラ対Ｒが複数設置されており、各用紙搬送ローラ対Ｒの駆動ローラＲ１と従動ローラＲ２とが用紙Ｐを挟持搬送する用紙搬送手段となっている。
【００５５】
そして、実施例１の用紙搬送装置７０を循環用搬送路ＪＲ中の水平搬送路ＪＲ３に沿って設置することで、例えば、循環用搬送路ＪＲ中の第１縦搬送路ＪＲ２と水平搬送路ＪＲ３との間に跨って用紙ジャムが生じた場合、ジャム用紙ＪＰ（図９，図１０）の紙片を両搬送路ＪＲ２，ＪＲ３内に残すことなく、このジャム用紙ＪＰを装置７０の外側に容易に取り出すことができるように構成されている。
【００５６】
この際、実施例１の用紙搬送装置７０の上方にはベルトプラテン部３０が設置されており、ベルトプラテン部３０と用紙搬送装置７０との間でこの装置７０のフロント側（前面側）から人手を差し込むことができる程度の空間ＫＵが形成されているので、後述するように前記空間ＫＵ内に人手を差し込んでジャム用紙ＪＰを回収できるようになっている。
【００５７】
ここで、図１及び図２を併用して説明すると、実施例１の用紙搬送装置７０は、駆動源となるギアードモータＭと連結されて回転自在な駆動ローラＲ１を取り付けた駆動側用紙搬送ガイド板（以下、駆動側用紙ガイド板と記す）７１と、駆動ローラＲ１に従動回転する従動ローラＲ２を取り付けた従動側用紙搬送ガイド板（以下、従動側用紙ガイド板と記す）８１とを例えば循環用搬送路ＪＲ中の水平搬送路ＪＲ３に沿って互いに対向させて設置して、駆動ローラＲ１と従動ローラＲ２とを対にした用紙搬送ローラ対Ｒにより用紙Ｐを用紙搬送方向に挟持搬送できるように構成されている。
【００５８】
そして、駆動側用紙ガイド板７１は、装置７０内の固定部材（図示せず）に固定されて、複数の駆動ローラＲ１により用紙搬送方向に向けて搬送される用紙Ｐの一方の面（下面）Ｐａをガイドするようになっている。
【００５９】
一方、従動側用紙ガイド板８１は、駆動側用紙ガイド板７１の上面７１ａに対して僅かな間隔を離して対向しており、且つ、複数の従動ローラＲ２により用紙搬送方向に向けて搬送される用紙Ｐの他方の面（上面）Ｐｂをガイドするようになっている。
【００６０】
この際、上記した従動側用紙ガイド板８１は、装置７０の一方の面側となるフロント側（前面側）に向かって引き出し自在に設けた第１分割用紙ガイド板８２と、装置７０の一方の面側とは反対の他方の面側となるリア側（後面側）に回動可能（開閉可能）にその位置を保持し、且つ、必要に応じて回動可能（開閉可能）に設けた第２分割用紙ガイド板８３とに２分割されている。
【００６１】
尚、装置７０のフロント側（前面側）は、用紙Ｐの搬送方向と直交する用紙幅方向の一方側に設定されており、且つ、装置７０のリア側（後面側）は、用紙Ｐの搬送方向と直交する用紙幅方向の他方側に設定されている。
【００６２】
そして、第１，第２分割用紙ガイド板８２，８３の分割線ＢＬが用紙Ｐの搬送方向に略沿いながら用紙搬送方向と直交する用紙幅方向の中心線近傍に設定されている。
【００６３】
この際、従動側用紙ガイド板８１の分割位置を、複数の異なる用紙サイズのうち、用紙搬送路に沿って搬送される最小サイズの用紙Ｐにおける装置７０のフロント側の端部Ｐｃと用紙Ｐの幅方向の中心線との間、又は、用紙Ｐの幅方向の中心線上に設定すれば、あらゆるサイズの用紙Ｐであっても、確実に取り出すことができる。
【００６４】
即ち、従動側用紙ガイド板８１の一部を構成する第１分割用紙ガイド板８２は、用紙搬送方向と直交する用紙幅方向の一方側で、用紙Ｐの幅方向の左側端部Ｐｃ側と対応して用紙Ｐの幅方向に向かって引き出し自在に設置されている。
【００６５】
この際、第１分割用紙ガイド板８２は、駆動側用紙ガイド板７１上で用紙搬送方向の上流側と下流側とに間隔を隔てて設けた一対の引き出し用ガイド板７５，７６に案内されて装置７０のフロント側（前面側）に向かう引き出し方向に引き出し自在に取り付けられている。
【００６６】
一方、従動側用紙ガイド板８１の一部を構成する第２分割用紙ガイド板８３は、用紙幅方向の一方と反対の他方側で、用紙Ｐの幅方向の右側端部Ｐｄ側と対応してその位置を保持したまま設置されており、且つ、装置７０内のリア側（後面側）で用紙搬送方向と平行に設けた一対の回動軸８６（片側のみ図示）を中心にして回動可能に支持されている。
【００６７】
更に、第１分割用紙ガイド板８２は、装置７０内に収納されているときに、用紙搬送方向の下流側の外側面８２ｄ側が第２分割用紙ガイド板８３の下流側の外側面８３ｄ側とオーバーラップしているが、これについては後で詳述する。
【００６８】
ここで、図３に示す如く、上記した駆動側用紙ガイド板７１は、板金材を用いて上面７１ａが用紙Ｐの搬送方向の上流側から下流側に向かって用紙搬送方向の長さが長く形成された第１平坦面７１ａ１と、この第１平坦面７１ａ１の下流側に連接して僅かな高さだけ上方に向かって凹状に湾曲した凹状湾曲面７１ａ２と、この凹状湾曲面７１ａ２の下流側に第１平坦面７１ａ１よりも僅かに高い高さで用紙搬送方向の長さが短く形成された第２平坦面７１ａ３とからなっていると共に、フロント側，リア側に対応した前後の側面７１ｃ，７１ｄが下方に向かって折り曲げ形成されている。
【００６９】
この実施例１では、駆動側用紙ガイド板７１の上面７１ａの下流側を周辺部品の配置関係などの理由から凹状湾曲面７１ａ２により上面７１ａの上流側に対して所定の高さだけ上方に向けて凹状に湾曲させている。
【００７０】
そして、駆動側用紙ガイド板７１は、用紙搬送方向の寸法がユニット化に応じて適宜な値に設定され、且つ、用紙幅方向の寸法は最大サイズ（例えば、Ａ３サイズ）の用紙の幅寸法よりも大きな値に設定されて、略矩形状に形成されている。
【００７１】
また、駆動側用紙ガイド板７１の第１平坦面７１ａ１内の中間部位の前後左右には複数の矩形孔７１ｅが貫通して形成されており、これら複数の矩形孔７１ｅ内に用紙搬送ローラ対Ｒの駆動ローラＲ１がそれぞれ下面７１ｂ側から上面７１ａ側に僅かに突出するように臨んでいる。
【００７２】
この際、各駆動ローラＲ１は、駆動側用紙ガイド板７１の前後の側面７１ｃ，７１ｄ間に回転自在に支持されて用紙幅方向に沿いながら用紙搬送方向に所定の間隔を離して設けた２本の長尺な第１ローラ軸７２に固着されており、且つ、各第１ローラ軸７２に駆動ローラＲ１が用紙Ｐを搬送する際の仮想搬送中心線を中心にして用紙幅方向に対して略対称に固着されている。
【００７３】
尚、駆動側用紙ガイド板７１上において、用紙サイズが異なる複数種の用紙Ｐは、左右の側端部Ｐｃ，Ｐｄ（図２）が位置規制されることなく、駆動ローラＲ１と従動ローラＲ２（図１）とでニップされながら用紙Ｐを搬送する際の仮想搬送中心線を中心にして搬送されているものとする。
【００７４】
また、駆動側用紙ガイド板７１の第１平坦面７１ａ１内のフロント側には複数の指孔７１ｆが用紙サイズの異なる複数種の用紙Ｐの左側端部Ｐｃ（図２）の各位置に対応して貫通して形成されており、これらの複数の指孔７１ｆは後述するように駆動側用紙ガイド板７１上に搭載されたジャム用紙ＪＰ（図９，図１０）の引き出し側の端部をユーザの指で掴むときの逃げ孔として機能している。
【００７５】
また、駆動側用紙ガイド板７１の第１平坦面７１ａ１上で後側面７１ｄの近傍には、一対のＬ字状ブラケット７３，７４が上流側と下流側とに分かれて用紙Ｐの搬送に影響しない位置に対称に取り付けられており、これらの一対のＬ字状ブラケット７３，７４は従動側用紙ガイド板８１（図２，図４）のうちでリア側に位置する第２分割用紙ガイド板８３のリア端側に取り付けた一対の回動軸８６（図２，図４）を回動可能に支持する機能を有している。
【００７６】
また、駆動側用紙ガイド板７１の上面７１ａのうちで上流側と下流側とで高さを違えて形成された第１，第２平坦面７１ａ１，７１ａ３上には、一対の引き出し用ガイド板７５，７６が用紙幅方向に沿いながら用紙搬送方向の上流側と下流側とに間隔を離して互いに対向して対称に取り付けられている。
【００７７】
尚、一対の引き出し用ガイド板７５，７６の用紙搬送方向の各外側には、図示しない別の用紙搬送装置が取り付けられている。
【００７８】
そして、一対の引き出し用ガイド板７５，７６は、従動側用紙ガイド板８１（図２，図４）の第１分割用紙ガイド板８２のみをフロント側に引き出す機能を備えている。
【００７９】
上記した一対の引き出し用ガイド板７５，７６は、駆動側用紙ガイド板７１の上面７１ａと対向する下方部位に用紙Ｐ（図１，図２）が通過するための用紙通過口７５ａ，７６ａが用紙幅方向に沿って凹状に形成されている。また、一対の引き出し用ガイド板７５，７６は、一対の傾斜ガイド溝７５ｂ，７６ｂが第１分割用紙ガイド板８２（図２，図４）をリア側からフロント側に向かって徐々に斜め上方に引き出し自在にガイドするように傾斜して形成されている。
【００８０】
そして、一対の引き出し用ガイド板７５，７６に形成した一対の傾斜ガイド溝７５ｂ，７６ｂ内に第１分割用紙ガイド板８２の上流側及び下流側の各外側面８２ｃ，８２ｄ（図４）にそれぞれ取り付けた小径ピン８４（図４）及び大径ピン８５（図４）が嵌合するようになっている。
【００８１】
また、一対の引き出し用ガイド板７５，７６の傾斜ガイド溝７５ｂ，７６ｂ内でフロント側の先端には、第１位置決め用凹部７５ｂ１，７６ｂ１が下方に向かって凹状に形成され、且つ、傾斜ガイド溝７５ｂ，７６ｂ内でリア側には第２位置決め用凹部７５ｂ２，７６ｂ２が下方に向かって凹状に形成されている。
【００８２】
この際、第１位置決め用凹部７５ｂ１，７６ｂ１内に第１分割用紙ガイド板８２の各外側面８２ｃ，８２ｄに取り付けた引き出し方向先方側の小径ピン８４が落ち込むことで第１分割用紙ガイド板８２の最大引き出し位置を位置決めし、一方、第２位置決め用凹部７５ｂ２，７６ｂ２内に上記した小径ピン８４が落ち込むことで第１分割用紙ガイド板８２の収納位置を位置決めするようになっている。
【００８３】
更に、駆動側用紙ガイド板７１の前側面７１ｃ側の上面７１ａで用紙搬送方向の略中央部位には、ロック機構部９０の被係止部材９１が固着されており、このロック機構部９０は第１分割用紙ガイド板８２（図２，図４）を装置７０内に収納したときに、第１分割用紙ガイド板８２を駆動側用紙ガイド板７１にロックするためのものである。
【００８４】
次に、図４に示す如く、従動側用紙ガイド板８１を構成する第１，第２分割用紙ガイド板８２，８３は、共に樹脂材を用いて各上面８２ａ，８３ａ側の内部が複数の補強リブにより枠組みされて剛性を有する枠体にそれぞれ形成されている。
【００８５】
また、第１，第２分割用紙ガイド板８２，８３の各下面８２ｂ，（８３ｂ…図６）は、駆動側用紙ガイド板７１（図３）の上面７１ａと対向してこの上面７１ａの形状に合わせて用紙搬送方向の上流側から下流側に向かって平坦に形成され、更に下流端側の近傍が上方に向かって湾曲している。
【００８６】
ここで、図４及び図５に示す如く、駆動側用紙ガイド板７１上で装置７０（図１，図２）のフロント側に設置される従動側用紙ガイド板８１の第１分割用紙ガイド板８２は、上流側及び下流側の各外側面８２ｃ，８２ｄが分割線ＢＬよりもリア側に向かって延出されているので、各外側面８２ｃ，８２ｄは用紙幅方向に沿って長尺に形成されている。
【００８７】
また、第１分割用紙ガイド板８２の各外側面８２ｃ，８２ｄのリア側には、引き出し方向先方側の小径ピン８４と、引き出し方向後方側の大径ピン８５とがそれぞれ外側に向かって固着されている。
【００８８】
そして、第１分割用紙ガイド板８２の各外側面８２ｃ，８２ｄに固着した各２本の小径ピン８４及び大径ピン８５は、先に図３を用いて説明した駆動側用紙ガイド板７１上に取り付けた一対の引き出し用ガイド板７５，７６に形成した一対の傾斜ガイド溝７５ｂ，７６ｂ内に引き出し自在に嵌合している。
【００８９】
また、第１分割用紙ガイド板８２の各外側面８２ｃ，８２ｄの内側には、分割線ＢＬよりもリア側で且つ各外側面８２ｃ，８２ｄからそれぞれ内側に向かって用紙搬送方向に沿う細い幅Ｗ１を隔て各外側面８２ｃ，８２ｄと平行に奥深く肉抜きすることで矩形状凹部８２ｅが大面積を有して形成されている。
【００９０】
そして、第１分割用紙ガイド板８２が装置７０内に収納されているときに、上記した矩形状凹部８２ｅ内にリア側の第２分割用紙ガイド板８３が位置するようになっている。
【００９１】
上記のように第１分割用紙ガイド板８２の矩形状凹部８２ｅを形成したときに、第１分割用紙ガイド板８２の各外側面８２ｃ，８２ｄの内側に２本の翼部８２ｅ１，８２ｅ２がそれぞれ細い幅Ｗ１を有して上流側と下流側との間に間隔を隔てて対向し、且つ、リア側に向かって長尺に形成されている。
【００９２】
また、第１分割用紙ガイド板８２の矩形状凹部８２ｅに沿って形成した上流側及び下流側の各翼部８２ｅ１，８２ｅ２の内側面は、後述する第２分割用紙ガイド板８３の上流側及び下流側の各外側面８３ｃ，８３ｄ（図６）に対しても平行になっている。
【００９３】
この際、第１分割用紙ガイド板８２の矩形状凹部８２ｅに沿って形成した上流側及び下流側の各翼部８２ｅ１，８２ｅ２の内側面間の幅寸法Ｗ２は、第２分割用紙ガイド板８３の上流側及び下流側の各外側面８３ｃ，８３ｄ間の幅寸法Ｗ３（図６）よりも僅かに幅広く設定されている。
【００９４】
また、駆動側用紙ガイド板７１の上面７１ａ（図３）を高さ基準としたときに、第１分割用紙ガイド板８２の矩形状凹部８２ｅに沿って形成した下流側の翼部８２ｅ２の高さＨ２は、駆動側用紙ガイド板７１（図３）の下流側の湾曲形状によって上流側の翼部８２ｅ１の高さＨ１及び第２分割用紙ガイド板８３の上流側の外側面８３ｃの高さＨ１（図６）よりも高く設定されている。
【００９５】
更に、第１分割用紙ガイド板８２の下流側の翼部８２ｅ２の上方部位に連接して押し込み禁止部８２ｅ３がこの翼部８２ｅ２の内側面に対して幅寸法Ｗ４だけ内側（上流側）に向かって突出形成されている。
【００９６】
また、下流側の翼部８２ｅ２の下面から押し込み禁止部８２ｅ３の下面までの高さＨ３は、第２分割用紙ガイド板８３の下流側の外側面８３ｄの高さＨ４（図６）よりも僅かに高く設定されている。
【００９７】
これにより、第１分割用紙ガイド板８２が装置７０内に収納されているときに、第１分割用紙ガイド板８２の下流側に形成した押し込み禁止部８２ｅ３の下面よりも下方で且つ下流側の翼部８２ｅ２の下方の高さ位置に第２分割用紙ガイド板８３の下流側の外側面８３ｄ側がもぐり込んで、両者８２ｅ３，８３ｄが重なり合うようになっているが、押し込み禁止部８２ｅ３の作用については後述する。
【００９８】
また、第１分割用紙ガイド板８２の矩形状凹部８２ｅには、内側後面８２ｅ４が第２分割用紙ガイド板８３の前側面８３ｅ（図６）と対向するように分割線ＢＬに略沿って形成されている。
【００９９】
更に、第１分割用紙ガイド板８２の矩形状凹部８２ｅに沿って形成した内側後面８２ｅ４の外側部位に連接して２本の押圧ピン８２ｅ５が上流側と下流側との間で間隔を隔ててリア側に向かって突出形成されており、且つ、２本の押圧ピン８２ｅ５のうちで下流側の押圧ピン８２ｅ５は下記する下流側の箱部８２ｆの外側部位にも連接されている。
【０１００】
そして、２本の押圧ピン８２ｅ５は、第２分割用紙ガイド板８３の前側面８３ｅ側を駆動側用紙ガイド板７１の上面７１ａ（図３）側に押し付ける機能を有している。
【０１０１】
また、第１分割用紙ガイド板８２の上面８２ａ側には、分割線ＢＬの近傍に上流側と下流側に分かれて箱部８２ｆが上方を閉蓋して２箇所突出形成されており、各箱部８２ｆ内に従動ローラＲ２（図１）が駆動ローラＲ１（図１，図３）と対向するように収納されている。
【０１０２】
尚、箱部８２ｆ内に収納した従動ローラＲ２を用紙Ｐを介して駆動ローラＲ１に圧接させる機構については後述する。
【０１０３】
また、第１分割用紙ガイド板８２の上面８２ａ上で２箇所の箱部８２ｆ間には、駆動側用紙ガイド板７１（図２，図３）上にジャム用紙ＪＰ（図９，図１０）が搭載されているか否かを確認するための覗き孔８２ｇが貫通して形成されている。
【０１０４】
また、第１分割用紙ガイド板８２の前側面８２ｈの用紙搬送方向の略中央部位には、取っ手８２ｉがフロント側に向かって突出形成されており、この取っ手８２ｉをユーザがフロント側に引くことにより第１分割用紙ガイド板８２がフロント側に引き出し可能になっている。
【０１０５】
更に、第１分割用紙ガイド板８２の前側面８２ｈ側に設けた取っ手８２ｉの後方部位には、ロック機構部９０のロック解除レバー９２が前述した駆動側用紙ガイド板７１（図３）に設けたロック機構部９０の被係止部材９１と対応して取り付けられている。
【０１０６】
尚、ロック機構部９０は、第１分割用紙ガイド板８２を駆動側用紙ガイド板７１にロックできる構造であればいかなる構造形態でも良いものである。
【０１０７】
次に、図４及び図６に示す如く、駆動側用紙ガイド板７１上で装置７０（図１，図２）内のリア側に設置される従動側用紙ガイド板８１の第２分割用紙ガイド板８３は、前述したように、第１分割用紙ガイド板８２の矩形状凹部８２ｅ内に収納されるので第１分割用紙ガイド板８２よりも小型に形成されている。
【０１０８】
この際、第２分割用紙ガイド板８３の第２分割用紙ガイド板８３の上流側及び下流側の各外側面８３ｃ，８３ｄ間の幅寸法Ｗ３は、前述したように、第１分割用紙ガイド板８２の矩形状凹部８２ｅに沿って形成した上流側及び下流側の各翼部８２ｅ１，８２ｅ２の内側面間の幅寸法Ｗ２（図５）よりも僅かに幅狭く設定されている。
【０１０９】
そして、第２分割用紙ガイド板８３も、第１分割用紙ガイド板８２と同様に、駆動側用紙ガイド板７１（図３）の上面７１ａと対向してこの上面７１ａの形状に合わせて用紙搬送方向の上流側から下流側に向かって平坦に形成され、更に下流端側の近傍が上方に向かって湾曲している。
【０１１０】
また、第２分割用紙ガイド板８３の前側面８３ｅの内側部位には、２箇所の凹部８３ｅ１が用紙搬送方向に対して間隔を離して前方及び上方を開口して凹状に形成されており、且つ、２箇所の凹部８３ｅ１のうちで下流側の凹部８３ｅ１は下記する下流側の箱部８３ｆの外側部位にも連接されている。
【０１１１】
そして、２箇所の凹部８３ｅ１内に第１分割用紙ガイド板８２の矩形状凹部８２ｅの内側後面８２ｅ４の外側部位に突出形成した２本の押圧ピン８２ｅ５（図５）が左右方向を位置決めされて挿脱自在になっている。
【０１１２】
また、第２分割用紙ガイド板８３の上面８３ａ側にも、分割線ＢＬの近傍に上流側と下流側に分かれて箱部８３ｆが上方を閉蓋して２箇所突出形成されており、各箱部８３ｆ内に従動ローラＲ２（図１）が駆動ローラＲ１（図１，図３）と対向するように収納されている。
【０１１３】
また、第２分割用紙ガイド板８３の上面８３ａ上で２箇所の箱部８３ｆ間にも、駆動側用紙ガイド板７１（図２，図３）上にジャム用紙ＪＰ（図９，図１０）が有るか否かを確認するための覗き孔８３ｇが貫通して形成されている。
【０１１４】
上記のように、従動側用紙ガイド板８１の第１，第２分割用紙ガイド板８２，８３を構成した場合、図７に平面的に示すように、第１分割用紙ガイド板８２が装置７０（図１，図２）内に収納されているときに、第１分割用紙ガイド板８２の下流側に形成した押し込み禁止部８２ｅ３と、第２分割用紙ガイド板８３の下流側の外側面８３ｄ側とが重力方向においてオーバーラップして重なりあっているが、第２分割用紙ガイド板８３は第１分割用紙ガイド板８２の下流側に形成した押し込み禁止部８２ｅ３及び翼部８２ｅ２の内側面の各下方に収納されているので、第１分割用紙ガイド板８２の引き出し動作及び押し込み動作に対して何等の支障もきたさない。
【０１１５】
次に、上記のように構成した本発明の実施例１に係る用紙搬送装置７０において、従動側用紙ガイド板８１の第１分割用紙ガイド板８２を装置７０内からフロント側に引き出す動作を図８を用いて説明する。
【０１１６】
図８（ａ）〜（ｃ）は第１分割用紙ガイド板８２の引き出し動作を示しており、（ａ）は用紙搬送方向の上流側から下流側に向って一対の引き出し用ガイド板７５，７６を見た側面図であり、（ｂ），（ｃ）は上流側の引き出し用ガイド板７５を取り除いて、この上流側の引き出し用ガイド板７５の傾斜ガイド溝７５ｂを二点鎖線で示した側断面図である。
【０１１７】
尚、以下に実施例１における第１分割用紙ガイド板８２の引き出し動作を説明する際に、第１分割用紙ガイド板８２の上流側の外側面８２ｃ側についてのみ説明し、上流側の外側面８２ｃ側に対して高さを違えて形成された下流側の外側面８２ｄ（図４，図５）側についての説明を省略する。
【０１１８】
まず、図８（ａ）に示す如く、実施例１の用紙搬送装置７０内では、駆動側用紙ガイド板７１と対向して従動側用紙ガイド板８１の第１分割用紙ガイド板８２がフロント側に収納され、且つ、従動側用紙ガイド板８１の第２分割用紙ガイド板８３が引き出し前の第１分割用紙ガイド板８２と同じ高さ位置でリア側に収納されている。この際、第１，第２分割用紙ガイド板８２，８３は、駆動側用紙ガイド板７１と対向して各下面位置が同じ高さでこの駆動側用紙ガイド板７１と略平行な姿勢を保っている。
【０１１９】
この際、第１分割用紙ガイド板８２の外側面８２ｃに固着させた小径ピン８４及び大径ピン８５のうちで引き出し方向先方側の小径ピン８４は上流側の引き出し用ガイド板７５の傾斜ガイド溝７５ｂ内に形成したリア側の第２位置決め用凹部７５ｂ２に係合し、且つ、引き出し方向後方側の大径ピン８５は傾斜ガイド溝７５ｂ内でリア端側に至っているので、第１分割用紙ガイド板８２が収納位置に位置決めされている。
【０１２０】
そして、第１分割用紙ガイド板８２の取っ手８２ｉの後方部位に設置したロック機構部９０により、第１分割用紙ガイド板８２が駆動側用紙ガイド板７１にロックされている。
【０１２１】
従って、第１分割用紙ガイド板８２がロックされている時には、実施例１の用紙搬送装置７０内で用紙Ｐが用紙搬送ローラ対Ｒ（図１，図９）により搬送可能（通紙可能）な状態に至っている。
【０１２２】
次に、図８（ｂ）に示す如く、実施例１の用紙搬送装置７０内で用紙ジャムが生じたとき、ユーザがロック機構部９０によるロックを解除して、第１分割用紙ガイド板８２の取っ手８２ｉを上方に持ち上げると、二点鎖線で示した傾斜ガイド溝７５ｂ内で第１分割用紙ガイド板８２がこの外側面８２ｃに固着させた大径ピン８５を支点にして時計方向に回動する。
【０１２３】
これにより、上記外側面８２ｃに固着させた小径ピン８４がリア側の第２位置決め用凹部７５ｂ２から離脱して傾斜ガイド溝７５ｂ内に進入するので、この後、ユーザは取っ手８２ｉを掴みながら第１分割用紙ガイド板８２を引き出し方向となるフロント側に向かって引き出しを開始する。
【０１２４】
そして、第１分割用紙ガイド板８２のフロント側への引き出し動作に伴って、後述するように、第１分割用紙ガイド板８２側の従動ローラＲ２（図１，図９）が駆動側用紙ガイド板７１側の駆動ローラＲ１（図１，図９）から離間して用紙Ｐ（図１，図２）へのニップが解除される。
【０１２５】
一方、駆動側用紙ガイド板７１上でリア端側に取り付けたＬ字状ブラケット７３に回動軸８６を介して回動可能に支持された第２分割用紙ガイド板８３は、回動することなく収納位置に保持されたまま駆動側用紙ガイド板７１と略平行な姿勢を保っている。
【０１２６】
次に、図８（ｃ）に示す如く、ユーザが第１分割用紙ガイド板８２を更にフロント側に引き出すと、第１分割用紙ガイド板８２の外側面８２ｃに固着させた小径ピン８４及び大径ピン８５が二点鎖線で示した傾斜ガイド溝７５ｂに沿って斜め上方に向かってガイドされる。
【０１２７】
この後、小径ピン８４が傾斜ガイド溝７５ｂ内に形成したフロント側の第１位置決め用凹部７５ｂ１に係合すると、第１分割用紙ガイド板８２がフロント側の最大引き出し位置に位置決めされる。
【０１２８】
また、上記した小径ピン８４が第１位置決め用凹部７５ｂ１に係合したときに、第１分割用紙ガイド板８２のフロント端側が僅かに下降して、この第１分割用紙ガイド板８２が第２分割用紙ガイド板８３よりも高い位置で駆動側用紙ガイド板７１と略平行な姿勢に保たれるので、第１分割用紙ガイド板８２の引き出しが完了する。
【０１２９】
一方、第２分割用紙ガイド板８３は、第１分割用紙ガイド板８２から離れてリア側の位置まま駆動側用紙ガイド板７１と略平行な姿勢を保っている。
【０１３０】
そして、第１分割用紙ガイド板８２がフロント側の最大引き出し位置に位置決めされたときに、後述するように、隣り合う用紙搬送装置（図示せず）にジャム用紙ＪＰ（図９，図１０）が跨っている場合でも、ユーザは駆動側用紙ガイド板７１上に搭載されたジャム用紙ＪＰの紙片を装置７０内に残すことなく、この装置７０の外側に容易に取り出すことができる。
【０１３１】
ここで、実施例１の用紙搬送装置７０内で用紙Ｐを搬送する際に、図１に示した用紙搬送ローラ対Ｒの駆動ローラＲ１及び従動ローラＲ２のニップ状態について、図９を用いて説明する。
【０１３２】
図９は用紙搬送ローラ対Ｒの駆動ローラＲ１と従動ローラＲ２のニップ状態を図２に示したイーイ線に沿って断面して示しており、（ａ）は第１分割用紙ガイド板８２のロック時の状態を示し、（ｂ）は第１分割用紙ガイド板８２の引き出し時の状態を示している。
【０１３３】
図９（ａ）に示す如く、用紙搬送ローラ対Ｒの駆動ローラＲ１は、駆動側用紙ガイド板７１の下方で用紙幅方向に沿って形成した長尺な第１ローラ軸７２に固着されて矩形孔７１ｅ内に臨んでいる。
【０１３４】
一方、用紙搬送ローラ対Ｒの従動ローラＲ２は、従動側用紙ガイド板８１の第１，第２分割用紙ガイド板８２，８３にそれぞれ形成した箱部８２ｆ，８３ｆ内で用紙幅方向に沿って形成した短尺な第２ローラ軸ＳＡに固着され、且つ、第２ローラ軸ＳＡの両端側に軸受ＢＥが嵌め込まれている。
【０１３５】
また、第１，第２分割用紙ガイド板８２，８３にそれぞれ形成した箱部８２ｆ，８３ｆ内で用紙幅方向の両側には、軸受支持用有底孔８２ｆ１，８３ｆ１がそれぞれ形成されており、これらの軸受支持用有底孔８２ｆ１，８３ｆ１内に第２ローラ軸ＳＡの両端側に嵌め込んだ各軸受ＢＥが上方部位側で回り止めを図って上下方向に遊嵌されている。そして、箱部８２ｆ，８３ｆの天面内部８２ｆ２，８３ｆ２と、各軸受ＢＥとの間に各圧縮バネＣＳが掛止されている。
【０１３６】
また、第１分割用紙ガイド板８２の内側後面８２ｅ４及び箱部８２ｆの各外側部位に連接して押圧ピン８２ｅ５がリア側に向かって突出形成されており、一方、第２分割用紙ガイド板８３の前側面８３ｅの内側部位及び箱部８３ｆの外側部位に連接して凹部８３ｅ１がフロント側に向かって形成されている。
【０１３７】
そして、第１分割用紙ガイド板８２が駆動側用紙ガイド板７１にロックされている時には、第１分割用紙ガイド板８２に形成した上記押圧ピン８２ｅ５が第２分割用紙ガイド板８３に形成した上記凹部８３ｅ１内に進入して被さっているので、第２分割用紙ガイド板８３のフロント側の先端部位は駆動側用紙ガイド板７１側に向かって押さえ込まれている。
【０１３８】
これにより、第１，第２分割用紙ガイド板８２，８３にそれぞれ形成した箱部８２ｆ，８３ｆ内に収納した各従動ローラＲ２は、ロック時に各圧縮バネＣＳの付勢力により用紙Ｐを介して各駆動ローラＲ１に圧接可能になっているので、用紙Ｐを搬送できる。
【０１３９】
一方、図９（ｂ）に示す如く、第１分割用紙ガイド板８２の駆動側用紙ガイド板７１へのロックを解除した後に第１分割用紙ガイド板８２をフロント側に引き出す時には、第１分割用紙ガイド板８２の引き出し動作に伴って、第１分割用紙ガイド板８２の内側後面８２ｅ４及び箱部８２ｆに連接形成した押圧ピン８２ｅ５が第２分割用紙ガイド板８３の前側面８３ｅ及び箱部８３ｆに連接形成した凹部８３ｅ１から離脱するので、第２分割用紙ガイド板８３は第１分割用紙ガイド板８２による押さえがなくなる。
【０１４０】
これにより、第２分割用紙ガイド板８３の箱部８３ｆ内に収納した従動ローラＲ２の駆動ローラＲ１への圧接力は、従動ローラＲ２の自重が加わっているものの圧縮バネＣＳの付勢力が弱まり、第２分割用紙ガイド板８３側で用紙搬送ローラ対Ｒにニップされているジャム用紙ＪＰ（図９，図１０）を取り出し易くなる。
【０１４１】
更に、第１分割用紙ガイド板８２がフロント側に引き出されるときには、第１分割用紙ガイド板８２が一対の引き出し用ガイド板７５，７６（図３）の傾斜ガイド溝７５ｂ，７６ｂに沿って斜め上方に向かうために、第１分割用紙ガイド板８２の箱部８２ｆ内に収納した従動ローラＲ２は駆動ローラＲ１から徐々に離間して両ローラＲ１，Ｒ２間でニップが解除されるので、駆動側用紙ガイド板７１上に搭載されたジャム用紙ＪＰへのニップも解除される。
【０１４２】
次に、実施例１の用紙搬送装置７０内からジャム用紙ＪＰを取り出す方法について図１０を用いて説明する。
【０１４３】
図１０は実施例１の用紙搬送装置７０内からジャム用紙ＪＰを取り出す状態を斜視的に示しており、（ａ）は最小サイズのジャム用紙ＪＰ−Ｓの取り出しを示し、（ｂ）は最大サイズのジャム用紙ＪＰ−Ｌの取り出しを示している。
【０１４４】
実施例１の用紙搬送装置７０内で用紙ジャムが発生したか否かは先に説明したように用紙搬送路に沿って適宜な位置に設けた各用紙センサＳ（図１）で検出している。
【０１４５】
そして、用紙ジャムが発生したことを制御部６０（図１）が認識したときに、制御部６０は操作パネル部１０（図１）にアラームを表示するので、図１０（ａ），（ｂ）に示す如く、ユーザは従動側用紙ガイド板８１を構成する第１，第２分割用紙ガイド板８２，８３のうちで第１分割用紙ガイド板８２のみを一対の引き出し用ガイド板７５，７６に沿って最大引き出し位置まで手動により引き出す。
【０１４６】
この際、用紙搬送装置７０内では、駆動側用紙ガイド板７１と、第２分割用紙ガイド板８３は、当初の位置をそのまま保持している。
【０１４７】
また、第１分割用紙ガイド板８２の最大引き出し位置は、図１０（ｂ）に示す如く、駆動側用紙ガイド板７１上に搭載された最大サイズ（例えば、Ａ３サイズ）のジャム用紙ＪＰ−Ｌのうちで引き出し側の端部となる左側端部Ｐｃを人手で掴むことができる位置に設定されている。
【０１４８】
更に、装置７０のフロント側に引き出した第１分割用紙ガイド板８２の上方には、前述したように人手を差し込むことができる程度の空間ＫＵが形成されているので、この空間ＫＵ内に人手を差し込む。
【０１４９】
そして、図１０（ａ）又は図１０（ｂ）に示したように、駆動側用紙ガイド板７１上に搭載されたジャム用紙ＪＰとして最小サイズ（例えば、葉書サイズ）のジャム用紙ＪＰ−Ｓ又は最大サイズ（例えば、Ａ３サイズ）のジャム用紙ＪＰ−Ｌの幅方向の左側端部Ｐｃを、駆動側用紙ガイド板７１上で用紙サイズに応じて形成された指孔７１ｆの部位でユーザの指で掴んで装置７０の外側に取り出している。
【０１５０】
このときに、駆動側用紙ガイド板７１上に搭載されたジャム用紙ＪＰは、隣り合う用紙搬送装置（図示せず）間に跨っていても、第１分割用紙ガイド板８２の引き出し最中には駆動側用紙ガイド板７１上に搭載されたジャム用紙ＪＰが引き出されないので、ジャム用紙ＪＰは第１分割用紙ガイド板８２の引き出し動作中に破損することはない。
【０１５１】
また、第１分割用紙ガイド板８２の引き出し動作に伴って、第２分割用紙ガイド板８３は第１分割用紙ガイド板８２による押えがはずされるので、第２分割用紙ガイド板８３側の駆動ローラＲ１と従動ローラＲ２との間では用紙Ｐへのニップ圧が小さくなり、これにより、第２分割用紙ガイド板８３側で用紙搬送ローラ対Ｒにニップされているジャム用紙ＪＰを外し易くなる。
【０１５２】
また、第１分割用紙ガイド板８２を装置７０のフロント側の一方の面側に引き出した時に、ユーザの人手によりジャム用紙ＪＰの紙片を装置７０内に残すことなく、この装置７０の外側に容易に取り出すことができる。
【０１５３】
また、従動側用紙ガイド板８１は第１分割用紙ガイド板８２と第２分割用紙ガイド板８３とに２分割されているために、第１分割用紙ガイド板８２の引き出し時の占有面積を従来装置よりも小さく設定でき、且つ、第１分割用紙ガイド板８２の重量が従来装置よりも軽くなるので、第１分割用紙ガイド板８２の引き出し負荷を軽減することができる。
【０１５４】
更に、ジャム用紙ＪＰを装置７０内から取り出す場合に、ユーザは前述したように従動側用紙ガイド板８１の第１分割用紙ガイド板８２を人手により引き出しているが、ユーザは必要に応じて回動自在な第２分割用紙ガイド板８３を人手により駆動側用紙ガイド板７１及びジャム用紙ＪＰから離れる上方向に回動させて開くことで、第２分割用紙ガイド板８３側に残っているジャム用紙ＪＰをより一層確実に取り出すことができる。
【０１５５】
この場合、第１分割用紙ガイド板８２が装置７０のフロント側に引き出され、且つ、従動側用紙ガイド板８１の第２分割用紙ガイド板８３が上方に向かって開いている状態で、装置７０のフロント側に引き出された第１分割用紙ガイド板８２をユーザが誤って装置７０内に押し込んでしまったり、あるいは、第１分割用紙ガイド板８２をユーザが故意に装置７０内に押し込んでしまうと、第２分割用紙ガイド板８３が駆動側用紙ガイド板７１上の正規な位置に収納できず、次回に搬送される用紙Ｐを搬送できなかったり、再び用紙ジャムが発生する。
【０１５６】
そこで、この実施例１では、第２分割用紙ガイド板８３が開いている状態で、第１分割用紙ガイド板８２の装置７０内への押し込み動作を禁止する対策を施しており、これについて図１１を用いて説明する。
【０１５７】
図１１（ａ），（ｂ）は、第１分割用紙ガイド板８２がフロント側に引き出され、且つ、第２分割用紙ガイド板８３が駆動側用紙ガイド板７１から離れる上方向に回動して開いているときに、フロント側に引き出された第１分割用紙ガイド板８２の装置７０内への押し込みを禁止する動作を模式的に示している。
【０１５８】
図１１（ａ），（ｂ）に示す如く、ユーザの一方の手で従動側用紙ガイド板８１の第１分割用紙ガイド板８２がフロント側に引き出されているときに、ユーザの他方の手で従動側用紙ガイド板８１の第２分割用紙ガイド板８３の前側面８３ｅ側を持ち上げると、第２分割用紙ガイド板８３が一対の回動軸８６（片側のみ図示）を中心にして駆動側用紙ガイド板７１から離れる上方向に回動し、ユーザの他方の手により第２分割用紙ガイド板８３の回動状態が維持されている。
【０１５９】
このときに、ユーザの不注意又は故意により、ユーザが第１分割用紙ガイド板８２を引き出し方向とは反対方向に押し込むと、第１分割用紙ガイド板８２の上流側及び下流側の各外側面８２ｃ，８２ｄ側が一対の引き出し用ガイド板７５，７６に沿いながらリア側に向かって移動する。
【０１６０】
この第１分割用紙ガイド板８２の押し込み動作に伴って、第１分割用紙ガイド板８２の上流側及び下流側の各翼部８２ｅ１，８２ｅ２のうちで下流側の翼部８２ｅ２の上方部位に連接して内側に向けて突出形成した押し込み禁止部８２ｅ３が第２分割用紙ガイド板８３の下流側の外側面８３ｄ側に衝突する。
【０１６１】
この結果、第１分割用紙ガイド板８２の下流側に形成した押し込み禁止部８２ｅ３の作用により、第１分割用紙ガイド板８２の装置７０内への押し込み動作を禁止することができると共に、第２分割用紙ガイド板８３を装置７０内に収納できないことをユーザに知らせることができる。
【０１６２】
従って、第２分割用紙ガイド板８３が開いたままの状態で第１分割用紙ガイド板８２が装置７０内の正規の位置に押し込まれたときに、第２分割用紙ガイド板８３が第１分割用紙ガイド板８２上に重なり合って搭載される異常な状態が発生せず、装置７０への安全性及び信頼性を高めることができる。
【実施例２】
【０１６３】
図１２は本発明の実施例２に係る用紙搬送装置７０’を斜視に示している。
【０１６４】
図１２に示した本発明の実施例２に係る用紙搬送装置７０’は、先に説明した実施例１の用紙搬送装置７０（図１，図２）の構成に対して、駆動側用紙搬送ガイド板（以下、駆動側用紙ガイド板と記す）７１と対向する従動側用紙搬送ガイド板（以下、従動側用紙ガイド板と記す）８１’を構成する第１，第２分割用紙ガイド板８２’，８３’のみが一部異なっている。
【０１６５】
この実施例２では、説明の便宜上、先に示した実施例１と同一の構成部材及び同一形状に対しては同一の符号を付して図示し、且つ、先に示した構成部材は必要に応じて適宜説明するが、実施例１に対して異なる構成部材に新たな符号を付して、実施例１とは異なる点を中心にして説明する。
【０１６６】
図１２に示す如く、本発明の実施例２に係る用紙搬送装置７０’も、実施例１と同様にインクジェット印刷装置１（図１）内の用紙搬送路に沿って設置されており、例えば、用紙搬送路の一部を形成する循環用搬送路ＪＲ中の水平搬送路ＪＲ３に沿ってユニット化して設置されている。
【０１６７】
この実施例２の用紙搬送装置７０’でも、駆動側用紙ガイド板７１の上面７１ａ上には、従動側用紙ガイド板８１’の第１分割用紙ガイド板８２’が装置７０’のフロント側に引き出し自在に取り付けられ、且つ、従動側用紙ガイド板８１’の第２分割用紙ガイド板８３’が装置７０’内のリア側（後面側）に回動自在に取り付けられている。
【０１６８】
この際、実施例２でも、従動側用紙ガイド板８１’の第１分割用紙ガイド板８２’が装置７０’のフロント側に引き出され、且つ、第２分割用紙ガイド板８３’が駆動側用紙ガイド板７１から離れる上方向に回動して開いているときに、従動側用紙ガイド板８１’の第１分割用紙ガイド板８２’の装置７０’内への押し込み動作を禁止する対策が施されているが、この対策を従動側用紙ガイド板８１’により実施例１とは異なる形状で行っており、以下、従動側用紙ガイド板８１’について図１３〜図１６を用いて説明する。
【０１６９】
図１３は図１２に示した従動側用紙ガイド板８１’（８２’，８３’）を斜視的に示している。また、図１４は従動側用紙ガイド板８１’の第１分割用紙ガイド板８２’を斜視的に示している。また、図１５は従動側用紙ガイド板８１’の第２分割用紙ガイド板８３’を斜視的に示している。更に、図１６は第１分割用紙ガイド板８２’の下流側の翼部８２ｅ２と第２分割用紙ガイド板８３’の下流側の外側面兼用押し込み禁止部８３ｄ’とがオーバーラップした状態を模式的に平面図で示している。
【０１７０】
図１３及び図１４に示す如く、駆動側用紙ガイド板７１上で装置７０’（図１，図１２）のフロント側に設置される従動側用紙ガイド板８１’の第１分割用紙ガイド板８２’は、実施例１と同様に、上流側及び下流側の各外側面８２ｃ，８２ｄが分割線ＢＬよりもリア側に向かって延出されているので、各外側面８２ｃ，８２ｄは用紙幅方向に沿って長尺に形成されている。
【０１７１】
また、第１分割用紙ガイド板８２’の各外側面８２ｃ，８２ｄの内側には、実施例１と同様に、分割線ＢＬよりもリア側で且つ各外側面８２ｃ，８２ｄからそれぞれ内側に向かって用紙搬送方向に細い幅Ｗ１で各外側面８２ｃ，８２ｄと平行に奥深く肉抜きすることで矩形状凹部８２ｅが大面積を有して形成されている。
【０１７２】
そして、第１分割用紙ガイド板８２’が装置７０’内に収納されているときに、上記した矩形状凹部８２ｅ内にリア側の第２分割用紙ガイド板８３’が位置するようになっているが、実施例１とは異なって第２分割用紙ガイド板８３’の下流側に形成した後述の外側面兼用押し込み禁止部８３ｄ’（図１５）側が矩形状凹部８２ｅ内からはみ出している。
【０１７３】
上記ように第１分割用紙ガイド板８２’の矩形状凹部８２ｅを形成したときに、第１分割用紙ガイド板８２’の各外側面８２ｃ，８２ｄの内側に２本の翼部８２ｅ１，８２ｅ２がそれぞれ細い幅Ｗ１を有して上流側と下流側との間で互い間隔を離して対向し、且つ、リア側に向かって長尺に形成されている。
【０１７４】
また、第１分割用紙ガイド板８２’の矩形状凹部８２ｅに沿って形成した上流側及び下流側の各翼部８２ｅ１，８２ｅ２の内側面間の幅寸法Ｗ２は、実施例１と同寸法に設定されているが、実施例１とは異なって後述する第２分割用紙ガイド板８３’の上流側の外側面８３ｃと下流側の外側面兼用押し込み禁止部８３ｄ’との間の幅寸法Ｗ５（図１５）よりも僅かに幅狭く設定されている。
【０１７５】
この際、実施例２の第１分割用紙ガイド板８２’では、実施例１の第１分割用紙ガイド板８２の下流側の押し込み禁止部８２ｅ３（図５）が形成されてなく、押し込み禁止機能を後述する第２分割用紙ガイド板８３’の下流側の外側面兼用押し込み禁止部８３ｄ’（図１５）に持たせている。
【０１７６】
また、駆動側用紙ガイド板７１の上面７１ａ（図３）を高さ基準としたときに、第１分割用紙ガイド板８２’の矩形状凹部８２ｅに沿って形成した下流側の翼部８２ｅ２の高さＨ２は、実施例１と同様に、駆動側用紙ガイド板７１（図３）の下流側の湾曲形状によって上流側の翼部８２ｅ１の高さＨ１及び第２分割用紙ガイド板８３’の上流側の外側面８３ｃの高さＨ１（図１５）よりも高く形成されている。
【０１７７】
一方、図１３及び図１５に示す如く、駆動側用紙ガイド板７１上で装置７０’（図１，図１２）内のリア側に設置される従動側用紙ガイド板８１’の第２分割用紙ガイド板８３’は、下流側の外側面側を用紙搬送方向に沿って実施例１の第２分割用紙ガイド板８３（図６）よりも僅かな幅だけ延出させて、延出させた部位を外側面兼用押し込み禁止部８３ｄ’として形成している。
【０１７８】
これにより、第２分割用紙ガイド板８３’の上流側の外側面８３ｃと、下流側の外側面兼用押し込み禁止部８３ｄ’との間の幅寸法Ｗ５は、実施例１における第２分割用紙ガイド板８３の上流側及び下流側の各外側面８２ｃ，８２ｄ間の幅寸法Ｗ３（図６）よりも幅広く設定されていると共に、実施例２における第１分割用紙ガイド板８２’の上流側及び下流側の各外側面８２ｃ，８２ｄ間の幅寸法Ｗ２（図１４）よりも幅広く設定されている。
【０１７９】
また、第２分割用紙ガイド板８３’の下流側の外側面兼用押し込み禁止部８３ｄ’の高さＨ５は、第１分割用紙ガイド板８２’の下流側の翼部８２ｅ２の下方にもぐり込める値に設定されている。
【０１８０】
上記のように、従動側用紙ガイド板８１’の第１，第２分割用紙ガイド板８２’，８３’を構成した場合、図１６に平面的に示すように、第１分割用紙ガイド板８２’が装置７０’内に収納されているときに、第１分割用紙ガイド板８２’の下流側の翼部８２ｅ２と、第２分割用紙ガイド板８３’の下流側の外側面兼用押し込み禁止部８３ｄ’側とが重力方向においてオーバーラップして重なりあっているが、第２分割用紙ガイド板８３’は第１分割用紙ガイド板８２’の下流側の翼部８２ｅ２の下方に収納されているので、第１分割用紙ガイド板８２’の引き出し動作及び押し込み動作に対して何等の支障もきたさない。
【０１８１】
また、上記のように構成した実施例２の用紙搬送装置７０’でも、実施例１と同様に、ジャム用紙ＪＰ（図９，図１０）を装置７０’内から取り出す場合に、ユーザは従動側用紙ガイド板８１’の第１分割用紙ガイド板８２’を人手により引き出しているが、ユーザは必要に応じて回動自在な第２分割用紙ガイド板８３’を人手により駆動側用紙ガイド板７１及びジャム用紙ＪＰから離れる上方向に回動させて開くことで、第２分割用紙ガイド板８３’側に残っているジャム用紙ＪＰをより一層確実に取り出すことができる。
【０１８２】
この場合、第１分割用紙ガイド板８２’が装置７０’のフロント側に引き出され、且つ、第２分割用紙ガイド板８３’が開いている状態で、装置７０’のフロント側に引き出された第１分割用紙ガイド板８２’をユーザが誤って装置７０’内に押し込んでしまったり、あるいは、ユーザが故意に装置７０’内に押し込んでしまうと、第２分割用紙ガイド板８３’が駆動側用紙ガイド板７１上の正規な位置に収納できず、次回に搬送される用紙Ｐを搬送できなかったり、再び用紙ジャムが発生する。
【０１８３】
そこで、この実施例２でも、第２分割用紙ガイド板８３’が開いている状態で、第１分割用紙ガイド板８２’の装置７０’内への押し込み動作を禁止する対策を施しており、これについて図１７を用いて説明する。
【０１８４】
図１７（ａ），（ｂ）は、第１分割用紙ガイド板８２’がフロント側に引き出され、且つ、第２分割用紙ガイド板８３’が駆動側用紙ガイド板７１’から離れる上方向に回動して開いているときに、第１分割用紙ガイド板８２’の装置７０’内への押し込みを禁止する動作を模式的に示している。
【０１８５】
図１７（ａ），（ｂ）に示す如く、ユーザの一方の手で従動側用紙ガイド板８１’の第１分割用紙ガイド板８２’がフロント側に引き出されているときに、ユーザの他方の手で従動側用紙ガイド板８１’の第２分割用紙ガイド板８３’の前側面８３ｅ側を持ち上げると、第２分割用紙ガイド板８３’が一対の回動軸８６（片側のみ図示）を中心にして駆動側用紙ガイド板７１から離れる上方向に回動し、ユーザの他方の手により第２分割用紙ガイド板８３’の回動状態が維持されている。
【０１８６】
このときに、ユーザの不注意又は故意により、ユーザが従動側用紙ガイド板８１’の第１分割用紙ガイド板８２’を引き出し方向とは反対方向に押し込むと、第１分割用紙ガイド板８２’の上流側及び下流側の各外側面８２ｃ，８２ｄ側が一対の引き出し用ガイド板７５，７６に沿いながらリア側に向かって移動する。
【０１８７】
この第１分割用紙ガイド板８２’の押し込み動作に伴って、第１分割用紙ガイド板８２’の上流側及び下流側の各翼部８２ｅ１，８２ｅ２のうちで下流側の翼部８２ｅ２が第２分割用紙ガイド板８３’の下流側の外側面兼用押し込み禁止部８３ｄ’側に衝突する。
【０１８８】
この結果、第２分割用紙ガイド板８３’の下流側に形成した外側面兼用押し込み禁止部８３ｄ’の作用により、第１分割用紙ガイド板８２’の装置７０’内への押し込み動作を禁止することができると共に、第２分割用紙ガイド板８３’を装置７０’内に収納できないことをユーザに知らせることができる。
【０１８９】
従って、第２分割用紙ガイド板８３’が開いたままの状態で第１分割用紙ガイド板８２’が装置７０内の正規の位置に押し込まれたときに、第２分割用紙ガイド板８３’が第１分割用紙ガイド板８２’上に重なり合って搭載される異常な状態が発生せず、装置７０’への安全性及び信頼性を高めることができる。
【０１９０】
以上詳述したように、本発明に係る用紙搬送装置７０（又は７０’）では、用紙搬送路に沿って互いに対向して一対の用紙搬送ガイド板７１，８１（又は７１，８１’）を設置した際、一対の用紙搬送ガイド板７１，８１（又は７１，８１’）のうち一方の用紙搬送ガイド板８１（又は８１’）は、第１分割用紙ガイド板８２（又は８２’）と、第２分割用紙ガイド板８３（又は８３’）とに分割可能に構成されている。
【０１９１】
この際、第１分割用紙ガイド板８２（又は８２’）が用紙搬送方向と直交する用紙幅方向に向かって引き出し自在に設けられ、第２分割用紙ガイド板８３（又は８３’）は、第１分割用紙ガイド板８２（又は８２’）を引き出した状態のときに、第１分割用紙ガイド板８２（又は８２’）の引き出し方向とは反対側の後端で用紙搬送方向と平行に設けられた回動軸８６を中心にして他方の用紙搬送ガイド板７１から離れる方向に回動可能に設けられている。
【０１９２】
更に、第２分割用紙ガイド板８３（又は８３’）が他方の用紙搬送用紙ガイド板７１から離れる方向に回動した状態のまま第１分割用紙ガイド板８２（又は８２’）を押し込んだ場合に、第１分割用紙ガイド板８２（又は８２’）の押し込み動作を禁止させるような押し込み禁止部８２ｅ３（又は８３ｄ’）を、第１分割用紙ガイド板８２又は第２分割用紙ガイド板８３’の少なくともいずれか一方に設け、押し込み禁止部８２ｅ３（又は８３ｄ’）は、第２分割用紙ガイド板８３（又は８３’）が他方の用紙搬送ガイド板７１から離れる方向に回動していない状態のときに第１分割用紙ガイド板８２（又は８２’）を押し込んだ場合、第１分割用紙ガイド板８２及び第２分割用紙ガイド板８２の少なくとも一部が重力方向においてオーバーラップしている。
【符号の説明】
【０１９３】
１…インクジェット印刷装置、
７０，７０’…実施例１，２の用紙搬送装置、
７１…駆動側用紙搬送ガイド板（駆動側用紙ガイド板）、
７５，７６…一対の引き出し用ガイド板、７５ｂ，７６ｂ…傾斜ガイド溝、
８１，８１’…実施例１，２の従動側用紙搬送ガイド板（従動側用紙ガイド板）、
８２，８２’…実施例１，２の第１分割用紙ガイド板、
８２ａ…上面、８２ｂ…下面、８２ｃ…上流側の外側面、８２ｄ…下流側の外側面、
８２ｅ…矩形状凹部、８２ｅ１…上流側の翼部、８２ｅ２…下流側の翼部、
８２ｅ３…下流側の押し込み禁止部、８２ｅ４…内側後面、８２ｅ５…押圧ピン、
８２ｈ…前側面、８２ｉ…取っ手、
８３，８３’…実施例１，２の第２分割用紙ガイド板、
８３ａ…上面、８３ｂ…下面、８３ｃ…上流側の外側面、８３ｄ…下流側の外側面、
８３ｄ’…下流側の外側面兼用押し込み禁止部、８３ｅ…前側面、８３ｅ１…凹部、
８４…小径ピン、８５…大径ドピン、８６…回動軸、９０…ロック機構部、
ＫＲ…給紙用搬送路、ＪＲ…循環用搬送路、ＪＲ１…印刷用搬送路、
ＪＲ２…第１縦搬送路、ＪＲ３…水平搬送路、ＪＲ４…スイッチバック搬送路、
ＪＲ５…第２縦搬送路、ＨＲ…排紙用搬送路、
Ｐ…用紙、Ｐａ…一方の面（下面）、Ｐｂ…他方の面（上面）、Ｐｃ…左側端部、
Ｐｄ…右側端部、ＪＰ…ジャム用紙、ＪＰ−Ｓ…最小サイズのジャム用紙、
ＪＰ−Ｌ…最大サイズのジャム用紙、ＩＫ…インク、
Ｒ…用紙搬送ローラ対、Ｒ１…駆動ローラ、Ｒ２…従動ローラ、ＳＡ…第２ローラ軸、
Ｓ…用紙センサ、ＫＵ…空間、ＢＬ…分割線。
【図１】
0006446243.tif 000002
【図２】
0006446243.tif 000003
【図３】
0006446243.tif 000004
【図４】
0006446243.tif 000005
【図５】
0006446243.tif 000006
【図６】
0006446243.tif 000007
【図７】
0006446243.tif 000008
【図８】
0006446243.tif 000009
【図９】
0006446243.tif 000010
【図１０】
0006446243.tif 000011
【図１１】
0006446243.tif 000012
【図１２】
0006446243.tif 000013
【図１３】
0006446243.tif 000014
【図１４】
0006446243.tif 000015
【図１５】
0006446243.tif 000016
【図１６】
0006446243.tif 000017
【図１７】
0006446243.tif 000018